(57)【要約】【課題】新着情報の有無を効率よく住人に伝える情報表示装置を提供すること。【解決手段】本発明の情報表示装置１は、外部から情報を受信する通信手段２と、通信手段２が受信した情報を蓄積する情報蓄積手段３と、人の操作を受け付ける操作手段４と、操作手段４が受け付けた操作内容により情報蓄積手段３から情報を読み出す制御手段５と、情報蓄積手段３が読み出した情報を表示する表示手段６と、人の存在を検知する人感手段８と、表示手段６に表示されていない新着情報を管理するとともに人感手段８が人の存在を検知した際、制御手段５を通じ表示手段６に新着情報を表示する新着情報管理手段７から構成される。【選択図】  図１
2004219637.tif 000002
【特許請求の範囲】
【請求項１】
外部から情報を受信する通信手段と、前記通信手段が受信した情報を蓄積する情報蓄積手段と、人の操作を受け付ける操作手段と、前記操作手段が受け付けた操作内容により情報蓄積手段から情報を読み出す制御手段と、前記情報蓄積手段が読み出した情報を表示する表示手段と、人の存在を検知する人感手段と、前記表示手段に表示されていない新着情報を管理するとともに前記人感手段が人の存在を検知した際、前記制御手段を通じ前記表示手段に新着情報を表示する新着情報管理手段から構成されることを特徴とする情報表示装置。
【請求項２】
前記新着情報管理手段は、前記人感手段が人の存在を検知しなくなった際、前記制御手段を通じ前記表示手段の表示を停止することを特徴とする請求項１に記載の情報表示装置。
【発明の詳細な説明】
【０００１】
【発明の属する技術分野】
本発明は、宅内に設置され外部から情報を受信し表示する、情報表示装置に関するものである。
【０００２】
【従来の技術】
従来の情報表示装置は、外部からの新着情報を受信した場合、ランプ等の表示で報知するものが考案されている。
【０００３】
【特許文献１】
特開２００２−５７８０５号公報（図２）
【０００４】
【発明が解決しようとする課題】
しかしながら、この従来の情報表示装置には、次のような問題があった。新着情報の存在を報知するランプには、ＬＥＤ等の小型表示デバイスが用いられており、新着情報の有無が分かりにくかった。また、お知らせランプを使わず、新着情報を受信した際、新着情報を例えば液晶等の画像表示デバイスに表示するものは、無駄に電力を消費し、また、画像表示デバイスの寿命を縮めていた。
【０００５】
本発明は、このような従来の問題を解決するためになされたもので、新着情報の存在を、効率よく住人にお知らせする情報表示装置を提供するものである。
【０００６】
【課題を解決するための手段】
前記、従来の課題を解決するために、本発明の情報表示装置は、人の存在を検知する人感手段と、新着情報を管理する新着情報管理手段を備えたものである。従って、新着情報があり住人が本装置に近づいた際に、新着情報の存在を効率よく知らせることができる。
【０００７】
【発明の実施の形態】
請求項１に記載の発明は、外部から情報を受信する通信手段と、前記通信手段が受信した情報を蓄積する情報蓄積手段と、人の操作を受け付ける操作手段と、前記操作手段が受け付けた操作内容により蓄積手段から情報を読み出す制御手段と、前記情報手段が読み出した情報を表示する表示手段と、人の存在を検知する人感手段と、前記表示手段に表示されていない新着情報を管理するとともに前記人感手段が人の存在を検知した際、前記制御手段を通じ前記表示手段に新着情報を表示する新着情報管理手段を備えたものである。
従って、新着情報の存在を住人に的確に知らせることができる。
【０００８】
また、請求項２に記載の発明は、特に請求項１に記載の新着情報管理手段を、前記人感手段が人の存在を検知しなくなった際、前記制御手段を通じ前記表示手段の表示を停止するようにしたものである。
従って、新着情報があっても住人が装置の周囲に存在しない場合は、情報の表示を停止することができ、効率よく新着情報の存在を知らせることができる。
【０００９】
【実施例】
以下、本発明の実施の形態について、図面を用いて説明する。
【００１０】
（実施例１）
図１は、本発明の情報表示装置のブロック図を示す。
【００１１】
図１において、１は情報表示装置である。情報表示装置１は、宅内に設置され、外部から得た情報を画面上に表示することで、住人に情報サービスを提供する。情報表示装置１において、２は通信手段であり、情報センター１０と通信し、情報１０ａを得る。３は情報蓄積手段であり、通信手段２が得た情報を情報ファイル２ａとして受け取り蓄積する。４は操作手段であり、住人からの操作を受け付け、操作内容４ａを制御手段５に伝える。制御手段５は操作内容４ａに従い、情報蓄積手段３から選択された情報３ａを読み出し、表示手段６に画面表示指示５ａを送る。表示手段６は表示指示５ａに基づき当該情報を表示する。表示手段６には、文字や画像を表示できるＣＲＴや液晶等の画像表示デバイスが用いられるが、これらの表示デバイスやバックライト等の周辺機器には寿命が有るため常時表示することは好ましくなく、また、常時表示により、相当のエネルギーを消費する。７は新着情報管理手段であり、情報蓄積手段３から制御手段５が読み出していない情報を新着情報３ｂとして入力し管理している。７は人感手段であり情報表示装置１の周囲の人の存在を検知し、人の存在の有無を人感状況８ａとして新着情報管理手段７に出力する。新着情報管理手段７は新着情報３ｂと人感状況８ａに基づき、新着情報３ｂが存在している状態で、人感状況が「無」から「有」に変化した場合、制御手段５に対し新着情報を表示するよう制御指示７ａを出力する。制御指示７ａを入力した制御手段５は、指示内容に基づき情報蓄積手段３より新着情報を読み出し、表示手段６に表示させる。
【００１２】
次に、第１の実施例の情報表示装置の動作手順について説明する。
【００１３】
図２は、第１の実施例の情報表示装置の動作手順を示している。
【００１４】
図２において、当初新着情報はなく表示手段６は表示をしていないものとする。時刻ｔ１に通信手段２が新規に情報１０ａを受信すると、情報蓄積手段３は情報ファイル２ａとして蓄積するとともに、新着情報管理手段７に対し新着情報３ｂを出力する。新着情報３ｂを入力した新着情報管理手段７は、新着情報が有ることを認識する。次に、時刻ｔ２に住人が情報表示装置１に近づくと、人感手段８が人の存在を検知し、新着情報管理手段７に対し人感状況８ａとして人の存在の有ることを出力する。新着情報が有る際に、人感状況７ａとして、人の存在が有ることを入力した新着情報管理手段７は、制御手段５に対し当該新着情報を読み出し表示するよう制御指示７ａを出力する。制御手段５はこの制御指示７ａに基づき、情報蓄積手段３より当該新着情報を読み出し、これを表示するよう表示手段６に対し画面制御指示５ａを出力する。表示手段６は画面制御指示５ａに従い当該新着情報を表示する。この時、住人は自分が近づいた際に情報表示装置の表示が起動したことから注意を喚起され、新着情報の存在に気づく。制御手段５は住人が操作手段４に対し行なった操作に従い、情報の読み出しと表示を行うとともに、新着情報をすべて表示した場合は、新着情報管理手段７に対し新着確認５ｂ信号を出力する。新着確認５ｂを受け取った新着情報管理手段７は新着情報が無くなったことを認識する。そして住人が終了操作をすると画面表示を消す。次に、時刻ｔ５に人感手段８が人の存在を検出した場合、新着情報管理手段７は新着情報が無いと認識しているため制御手段５に対し制御指示７ａを出力することはない。
【００１５】
以上のように、第１の実施例の情報表示装置によれば、新着情報があり住人が情報表示装置に近づいた場合に表示を起動することで、住人の注意を喚起し新着情報の存在を効果的に知らせることができる。
【００１６】
（実施例２）
次に、第２の実施例の情報表示装置について説明する。
【００１７】
図３は、第２の実施例の情報表示装置の動作手順を示している。
【００１８】
時刻ｔ２に人の存在を検知し、表示を起動するところまでは実施例１と同等で有るため、説明を省略する。時刻ｔ２で表示を起動したにも関わらず、住人からの操作入力がなく、時刻ｔ６に人感手段８が人の存在を検知しなくなったとき、新着管理手段７は表示を消すよう制御指示７ａを出力する。この指示を受けた制御手段５は、表示を消すよう表示手段６に対し画面制御指示５ａを出力し、表示手段６は画面表示を消す。
【００１９】
次に時刻ｔ７に人の存在を検知した際には、時刻ｔ２と同様に画面を表示し、以下、住人からの操作が行なわれるまで繰り返す。
【００２０】
以上のように、第２の実施例の情報表示装置によれば、新着情報があり住人が情報表示装置に近づいた場合に表示を起動したが、住人が操作をしない場合に一旦表示を消し、エネルギーの消費を抑えるとともに、表示デバイスの寿命を延ばす。また、住人が新着情報を確認するまで、住人が情報表示装置に近づく度に、繰り返し画面を起動し注意を喚起するので、新着情報の存在を効果的に知らせることができる。
【００２１】
【発明の効果】
以上のように、本発明によれば、新着情報があり住人が情報表示装置に近づいた場合に表示を起動することで、住人の注意を喚起し新着情報の存在を効果的に知らせる情報表示装置を提供することができる。
【図面の簡単な説明】
【図１】本発明の第１の実施例における情報表示装置のブロック図
【図２】本発明の第１の実施例における情報表示装置の動作手順を示す図
【図３】本発明の第２の実施例における情報表示装置の動作手順を示す図
【符号の説明】
１  情報表示装置
２  通信手段
３  情報蓄積手段
４  操作手段
５  制御手段
６  表示手段
７  新着情報管理手段
８  人感手段
【図１】
2004219637.tif 000003
【図２】
2004219637.tif 000004
【図３】
2004219637.tif 000005